(57)【特許請求の範囲】
【請求項１】
水面W.L に浮かべる固定式のフロート６から垂下させ得るフェンスＦを、少なくとも上下二段に分割し、分割されている上側のフェンスf1側と下側のフェンスf2側とに、エアーにより浮力調整可能なフロートをそれぞれ独立して取り付けるとともに、上側のフェンスf1の上端に位置するフロートを、あるいは、上側のフェンスf1の下端に位置するフロートを、固定式のフロート６から垂下させたガイドワイヤ７，７に摺動可能に取り付けたことを特徴とする水質改善用流入調整フェンス。
【発明の詳細な説明】
【０００１】
【発明の属する技術分野】
本発明は、流水調整を必要とする河川、ダム堰、調整池などに設置し得る水質改善用のフェンスに関し、特に、その開放構造に関するものである。
【０００２】
【従来の技術】
河川、ダム堰、調整池などにおいては、従来から、流水を塞き止める方向に水質改善用のフェンスを配置し、水質の改善に役立たせることが行われている。
流れの遅い河川やダム堰、調整池などでは、通常、流水はこのフェンスの下をくぐり抜け下流方向に流れる。一方、濁水がこのフェンスの下をくぐり抜ける際、濁水に含まれる土その他の粒子はそのまま沈下し、下流に流れる水の水質を改善することができる。
【０００３】
【発明が解決しようとする課題】
ところが、洪水時など激しく水が流れる場合には、施設を激しい流水から守るために、水質改善用のフェンスの上部のみを開放する必要がある。フェンスの上部のみを開放すると、流速の最も大きい水面上にある施設の受圧面積を小さくできるから、それによってこの施設を激しい流水から守ることができる。
【０００４】
逆に、渇水時に土石流が起こることがある。この現象は災害規模ほどではなく、通常、河川等で水位が低下した後において一定量の増水による流水が発生し始める段階で、護岸面であった土などが乾燥することで流水が濁り、河床部に粗い粒子の流れが生じる。このような現象から施設を守るために、少なくとも粗い粒子で埋まりやすいフェンスの下部を水面付近まで浮上させる必要がある。
【０００５】
【発明が解決しようとする課題】
このように、水質改善用のフェンスは、時と場合によってフェンスの上部のみを開放したり、フェンス全体を開放しなければならない。
本発明は、フェンスの上部のみの開放とフェンス全体の開放とを、エアーにより浮力調整可能なフロートを使用することによって容易に行い得るようにしたもので、特に、少なくとも上下二段に分割されているフェンスの上部の開閉、すなわち、上側のフェンスの開閉をスムーズかつ誤動作なく行うことができるようにしたものである。
【０００６】
【課題を解決するための手段】
この目的を達成するために、本発明では、水面W.L に浮かべる固定式のフロート６から垂下させ得るフェンスＦを、少なくとも上下二段に分割し、分割されている上側のフェンスf1側と下側のフェンスf2側とに、エアーにより浮力調整可能なフロートをそれぞれ独立して取り付けるとともに、上側のフェンスf1の上端に位置するフロートを、あるいは、上側のフェンスf1の下端に位置するフロートを、固定式のフロート６から垂下させたガイドワイヤ７，７に摺動可能に取り付けてある。
【０００７】
エアーにより浮力調整可能なフロートのうち、上側のフェンスf1の上端に位置するフロートにエアーが保持されている場合、あるいは、上側のフェンスf1の下端に位置するフロートにエアーが保持されていない場合には、フェンスＦは図１(a) 及び図２(a) に示すように、流水方向である白矢印と直交する方向に全高にわたって張りめぐらせることができる。この状態が通常時であり、流水はフェンスＦの下を潜り抜けて下流方向に流れる。
【０００８】
エアーにより浮力調整可能なフロートのうち、上側のフェンスf1の上端に位置するフロートにエアーが保持されていない状態にすると、あるいは、上側のフェンスf1の下端に位置するフロートにエアーが保持されている状態にすると、図１(b) あるいは図２(b) に示すように、フェンスＦの上部のみ、すなわち、少なくとも上下二段に分割されているフェンスＦのうち上側のフェンスf1を開放することができ、開放されたこの部分から水が下流方向に流れる。
この状態とすることにより、上述したように、洪水時などの激しい流水から施設を守ることができる。
【０００９】
エアーにより浮力調整可能なフロートの全てにエアーが保持されている状態にすると、図１(c) あるいは図２(c) に示すように、全てのフロートが水面もしくは水面近くまで浮上し、フェンスＦ全体を浮上させることができ、フェンスＦ全体を開放させることができる。
この状態とすることにより、上述したように、渇水時において河床部に生じる粗い粒子によって、少なくともフェンスＦの下部が埋まるのを防止することができる。
【００１０】
そして、本発明の場合においては、上側のフェンスf1を開閉するに当って、上側のフェンスf1の上端に位置するフロート、あるいは、上側のフェンスf1の下端に位置するフロートを浮力調整することによって、固定式のフロート６から垂下せしめられているガイドワイヤ７，７に沿ってこれらのフロートを摺動させることができ、フェンスＦの上部の開閉、すなわち、少なくとも上下二段に分割されているフェンスＦのうち上側のフェンスf1の開閉をスムーズかつ誤動作なく行うことができる。
【００１１】
【発明の実施の形態】
本発明の好ましい実施の形態を、図面に基いて詳細に説明する。
水質改善用のフェンスＦは、図１(a) 及び図２(a) に示すように、流水を塞き止める方向に、すなわち、流水方向である白矢印と直交する方向に配置され、一定の間隔を置いて配置されている固定式の複数のフロート６，６により全高にわたって水面W.L 下に張りめぐらされるものである。図１及び図２はフェンスＦを側面側から見た状態を、図３はこのフェンスＦを正面側から見た状態を示す。
水質改善用のフェンスＦの全高（図面の上下方向）は１０ｍ程度であるのに対して、幅（図３の左右方向）は設置場所の幅に応じて決められる。全体としては極めて大きいものであるということができる。本明細書においては、この大きなフェンスを図面符号Ｆで表すこととする。
【００１２】
図３に示すように、各フロート６，６からはガイドワイヤ７をそれぞれ垂下させてあり、各ガイドワイヤ７，７の上端であって各フロート６，６の直下には幅全体にわたって横方向にワイヤ８が、また、各ガイドワイヤ７，７の半分の高さのところと下端にもこのワイヤ８と平行のワイヤ９，9'がそれぞれ幅全体にわたって配置されている。そして、縦方向に配置されている各ガイドワイヤ７，７と横方向に配置されているワイヤ８、ワイヤ９，9'とに全て跨がるように、全面にわたってフェンスＦが取り付けられている。
なお、各ガイドワイヤ７，７の半分の高さのところと下端に配置されているワイヤ９，9'には、横方向に多数並べて沈錘ウエイト10が取り付けられ、フェンスＦ設置時において各ガイドワイヤ７，７やフェンスＦがピンと張られた状態で、しかも、垂直方向を保つようにしてある。
【００１３】
ここでは、このフェンスＦが上下二段に分割され、分割されている上側のフェンスf1を各ガイドワイヤ７，７よりも図１(a) 、図２(a) の左側に、また、分割されている下側のフェンスf2を各ガイドワイヤ７，７よりも右側にそれぞれ位置させた場合が例示されている。なお、各ガイドワイヤ７，７に対する上下二段のフェンスf1，f2の取付位置を逆にしてもよい。
そして、上側のフェンスf1のみの開放と、上側と下側のフェンスf1，f2全体を水面付近まで浮上させることによるフェンスＦ全体の開放とを行い得るようにするために、エアーにより浮力調整可能なフロートが各ガイドワイヤ７，７と上側のフェンスf1とに関連させて複数取り付けられている。
【００１４】
図面に示す場合には、下側のフェンスf2の上下両端は各ガイドワイヤ７，７の半分の高さのところと下端に配置されている横方向のワイヤ９，9'に定着されており、前記ガイドワイヤ７，７に対して図面の上下方向には動かない。
そして、下側のフェンスf2が張りめぐらされている各ガイドワイヤ７，７の下半分の中央部分（各ガイドワイヤ７，７全体から見て、下から１／４のところ）と下端とに、図１の場合には、各ガイドワイヤ７，７に跨がるように横方向（図３の左右方向）に長いフロート４，５が、また、図２の場合には、各ガイドワイヤ７，７に跨がるように横方向（図３の左右方向）に長いフロート3'，4'がそれぞれ取り付けられている。
【００１５】
一方、上側のフェンスf1はそれを開放させ得るようにするために、各ガイドワイヤ７，７に対して上下方向に摺動可能としてある。
上側のフェンスf1を各ガイドワイヤ７，７に対して上下方向に摺動可能とするための方式として、二つの方式が考えられる。その一つは、図１に示すように、上側のフェンスf1の上端に各ガイドワイヤ７，７に跨がるように横方向（図３の左右方向）に長いフロート１を取り付けるとともに、各ガイドワイヤ７，７のところではそれらを貫通させる。
このようにすると、各ガイドワイヤ７，７に対して横方向に長いフロート１を図１の上下方向に摺動させることができる。
【００１６】
また、上側のフェンスf1の半分の高さのところと下端には、各ガイドワイヤ７，７に跨がる横方向（図３の左右方向）に長い別のフロート２，３を取り付け、さらに、上側のフェンスf1の下端に取り付けられているフロート３は、各ガイドワイヤ７，７の半分の高さのところに取り付けられている前記ワイヤ９に定着させてある。
そして、上下五つのフロート１〜５内にエアーを保持させたり、いずれかのフロートからエアーを抜いてその中にエアーを保持させないようにする。
【００１７】
例えば、上下五つのフロート１〜５のうち最上位のフロート１内にのみエアーが保持され、それ以外のフロート２〜５の中にはエアーが保持されていない状態にすると、上側のフェンスf1の上端に取り付けられている最上位のフロート１には浮力が働き、図１(a) に示すように、各ガイドワイヤ７，７の上端（厳密に言うと、上端に位置する横方向のワイヤ８の直下）に位置し、上側のフェンスf1は張りめぐらされた状態になる。
また、下側のフェンスf2は元々張りめぐらされた状態になっていて、その状態が保たれている。
したがって、上下二段に分割された二枚のフェンスf1，f2はいずれも水中で張りめぐらされた状態にあり、通常時の姿を保っている。
【００１８】
エアーが保持されていた最上位のフロート１内のエアーを抜き、それを含む五つのフロート１〜５の全てのフロートの中にエアーが保持されていない状態とすると、図１(b) に示すように、最上位のフロート１は浮力を失って各ガイドワイヤ７，７を滑り落ちる。
したがって、水中で張りめぐらされていた上側のフェンスf1は、各ガイドワイヤ７，７の途中以下（半分の高さより下側）に垂れ下がり、上側のフェンスf1、すなわち、フェンスＦの上部のみが開放される。
この場合において、各ガイドワイヤ７，７の半分のところに位置する横方向のワイヤ９がいわゆるストッパーの役目をなし、各ガイドワイヤ７，７を滑り落ちて来た最上位のフロート１がそれより下がることがないようになっている。
【００１９】
渇水時などフェンスＦ全体を水面に浮上させてフェンス全体を開放するには、最上位のフロート１を含む五つのフロート１〜５の全てのフロートの中にエアーを保持させる。
すると、五つのフロート１〜５に全て浮力が働いて図１(c) に示すようにフロート２〜５を水面に、フロート１をワイヤ８の直下である水面近くにまで浮上させることができ、各ガイドワイヤ７，７、横方向のワイヤ９，9'、沈錘ウエイト10を含む上下二枚のフェンスf1，f2を、すなわち、フェンスＦ全体を開放することができる。
なお、固定式のフロート６の直下にある横方向のワイヤ８は絶えずそこに位置している。
【００２０】
上側のフェンスf1を各ガイドワイヤ７，７に対して上下方向に摺動可能とするためのもう一つの方式とは、図２に示すように、上側のフェンスf1の下端に各ガイドワイヤ７，７に跨がるように横方向（図３の左右方向）に長いフロート1'を取り付けるとともに、各ガイドワイヤ７，７のところではそれらを貫通させる。
このようにすると、各ガイドワイヤ７，７に対して横方向に長いフロート1'を図２の上下方向に摺動させることができる。
【００２１】
一方、上側のフェンスf1の上端は固定式のフロート６の直下に位置させた横方向のワイヤ８に定着し、さらに、上側のフェンスf1面（図２では、右面）には、上下方向に所定の間隔を置いて（図２では、上下３箇所に）スライドリング11を取り付け、それらを各ガイドワイヤ７，７に係着させる。
また、各ガイドワイヤ７，７の半分の高さのところに取り付けられている前記ワイヤ９に、別のフロート2'を定着させる。
そして、上下四つのフロート1'〜4'内にエアーを保持させたり、いずれかのフロートからエアーを抜いてその中にエアーを保持させないようにする。
【００２２】
例えば、上下四つのフロート1'〜4'の全てのフロートの中にエアーが保持されていない状態にすると、上側のフェンスf1の下端に取り付けられている最上位のフロート1'は、図２(a) に示すように、各ガイドワイヤ７，７の途中（厳密に言うと、半分の高さのところに位置する横方向のワイヤ９の直上）に位置し、上側のフェンスf1は張りめぐらされた状態になる。
また、下側のフェンスf2は元々張りめぐらされた状態になっていて、その状態が保たれている。
したがって、上下二段に分割された二枚のフェンスf1，f2はいずれも水中で張りめぐらされた状態にあり、通常時の姿を保っている。
【００２３】
上下四つのフロート1'〜4'のうち最上位のフロート1'内にのみエアーが保持され、他の三つのフロート2'〜4'のフロートの中にはエアーが保持されていない状態とすると、図２(b) に示すように、最上位のフロート1'に浮力が働いて各ガイドワイヤ７，７に沿って上向きに摺動する。
したがって、水中で張りめぐらされていた上側のフェンスf1は、各ガイドワイヤ７，７の上端（厳密に言うと、上端に位置している横方向のワイヤ８の直下）までめくり上げられ、フェンスＦの上部のみが開放される。
この場合において、各ガイドワイヤ７，７の上端に位置する横方向のワイヤ８がいわゆるストッパーの役目をなし、各ガイドワイヤ７，７に沿って上向きに摺動して来た最上位のフロート1'がそれより上に行くことがない。
【００２４】
渇水時などフェンスＦ全体を水面に浮上させてフェンス全体を開放するには、最上位のフロート1'を含む四つのフロート1'〜4'の全てのフロートの中にエアーを保持させる。
すると、四つのフロート1'〜4'に全て浮力が働いて図２(c) に示すようにフロート2'、3'、4'を水面に、また、フロート1'をワイヤ８の直下である水面近くまで浮上させることができ、各ガイドワイヤ７，７、横方向のワイヤ９，9'、沈錘ウエイト10を含む上下二枚のフェンスf1，f2を、すなわち、フェンスＦ全体を開放することができる。この場合において、下側のフェンスf2のうちの一部は、図２(c) に示すように、フロート2'と横方向のワイヤ９との間に位置し、残りの大半の部分は各フロート2'，3'，4'間で彎曲した状態で水面下に垂れ下がる。
なお、固定式のフロート６の直下にある横方向のワイヤ８は絶えずそこに位置している。
【００２５】
以上、上側のフェンスf1のみを、すなわち、フェンスＦの上部のみを開放させる方式と、上下二枚のフェンスf1，f2を、すなわち、フェンスＦ全体を開放させるための二つの方式について説明したが、いずれの場合とも、エアーにより複数あるフロートの浮力を調整することによって行い得るものである。
そして、渇水時などフェンスＦ全体を開放するに当って、図１に示す方式では、図２に示す場合に比べてフェンスＦ全体を浮上させることができるのみならず、簡単な構造であるため誤動作が少ないという利点を有している。
一方、図２に示す方式では、通常時、フロート2'，3'，4'にはエアーが保持されていない状態であるため、それらが破損してもフェンスとしての機能は維持できるという利点を有している。
【００２６】
上下五つのフロート１〜５及び上下四つのフロート1'〜4'内にエアーを保持させたり、いずれかのフロートからエアーを抜いてその中にエアーを保持させないようにするには、例えば、図３に示すように、陸上に設置したコンプレッサーＣと各フロート１〜５あるいは各フロート1'〜4'とを給気ホース12で接続し、各配管に調整バルブＡ、開放バルブＢ、逆止弁Ｄをそれぞれ取り付けておくとよい。
なお、図３では、コンプレッサーＣと五つのフロート１〜５とを接続する配管のうち最上位の配管のみに調整バルブＡ、開放バルブＢ、逆止弁Ｄを取り付けた状態が図示されているが、他の四本の配管にも勿論それらが取り付られている（ただし、図示は省略）。
【００２７】
フロートにエアーを送る場合には、開放バルブＢを閉じ、調整バルブＡを開けることによって行うことができる。逆に、フロートからエアーを抜く場合には、調整バルブＡを閉じ、開放バルブＢを開けることによって行うことができる。この場合において、エアーはフロートに作用する水圧によって放出される。
調整バルブＡに電動弁、開放バルブＢに電磁弁を用い、制御盤等によって自動もしくは手動によって制御できるようにしておくのがよい。
【００２８】
【発明の効果】
本発明によれば、フェンスの上部の開閉、すなわち、少なくとも上下二段に分割されているフェンスのうち上側のフェンスの開閉をスムーズかつ誤動作なく行うことができるという利点を有する。
【図面の簡単な説明】
【図１】本発明による水質改善用流入調整フェンスの通常時の設置状態と、上部開放とフェンス全体の開放とを行うための一例とを示す側面図で、(a) は通常時の設置状態を、(b) はフェンスの上部のみを開放した場合の状態を、(c) はフェンス全体を開放した場合の状態をそれぞれ示す。
【図２】本発明による水質改善用流入調整フェンスの通常時の設置状態と、上部開放とフェンス全体の開放とを行うための別の一例とを示す側面図で、(a) は通常時の設置状態を、(b) はフェンスの上部のみを開放した場合の状態を、(c) はフェンス全体を開放した場合の状態をそれぞれ示す。
【図３】図１(a) の状態に設置されている水質改善用流入調整フェンスを正面側から見た場合の概略図である。
【符号の説明】
１〜５…フロート、1'〜4'…フロート、６…固定式のフロート、７…ガイドワイヤ、Ｆ…フェンス、f1，f2…フェンス、Ｃ…コンプレッサー。
【図１】
0003632000.tif 000002
【図２】
0003632000.tif 000003
【図３】
0003632000.tif 000004